(57)【要約】【課題】貯湯タンク内の温度変化から貯湯タンク内の水の入替えが終了したことを判断する制御においては、貯湯タンク内に残っている湯水の温度が低くなっている時や、夏場における水道水の水温が上昇している時に貯湯タンク内の湯水の温度と給水管から供給される水の温度との差が検出しづらくなり、貯湯タンク内の水の入替えが完了する前に入替え動作を終了してしまう問題が生じる。【解決手段】貯湯タンク10内の湯水の入替え動作開始時に温度検出手段40が検出した温度が第１の閾値以下の温度であった場合に排水用弁34の開弁時間に基づいた貯湯タンク10内の湯水の入替え動作を行うとともに、貯湯タンク10内の湯水の入替え動作開始時に温度検出手段40が検出した温度が第１の閾値以上の温度であった場合に複数の温度検出手段40，42の検出温度に基づいた貯湯タンク10内の湯水の入替え動作を行う。【選択図】図３
2013213594.tif 000002
【特許請求の範囲】
【請求項１】
給水管20及び排水管32がそれぞれ接続される貯湯タンク10と、当該貯湯タンク10内の水を加熱する加熱部12と、前記排水管32に接続される排水用弁34と、前記貯湯タンク10を介して前記給水管20側から前記排水管32側を流れる水流の方向に対して間隔を有した位置に温度検出する複数の温度検出手段40，42と、前記排水用弁34を開閉し、前記貯湯タンク10内の湯水の入替え動作に対する信号を供給する制御部50と、を備える貯湯式給湯器100において、
前記制御部50は、前記排水用弁34の開弁時間に基づいた前記貯湯タンク10内の湯水の入替え動作、又は、複数の前記温度検出手段40，42の検出温度に基づいた前記貯湯タンク10内の湯水の入替え動作のどちらか一方の動作を機能させることを特徴とする貯湯式給湯器100。
【請求項２】
前記制御部50は、前記貯湯タンク10内の湯水の入替え動作開始時に前記温度検出手段が検出した温度が第１の閾値以下の温度であった場合に前記排水用弁34の開弁時間に基づいた前記貯湯タンク10内の湯水の入替え動作を行うとともに、前記貯湯タンク10内の湯水の入替え動作開始時に前記温度検出手段が検出した温度が第１の閾値以上の温度であった場合に複数の前記温度検出手段40，42の検出温度に基づいた前記貯湯タンク10内の湯水の入替え動作を行うことを特徴とする請求項１に記載の貯湯式給湯器100。
【請求項３】
前記制御部50は、前記貯湯タンク10内の湯水の入替え動作開始時からの前記温度検出手段が検出した温度が第２の閾値未満の可変であった場合に前記排水用弁34の開弁時間に基づいた前記貯湯タンク10内の湯水の入替え動作を行うとともに、前記貯湯タンク10内の湯水の入替え動作開始時からの前記温度検出手段が検出した温度に第２の閾値以上の可変があった場合に複数の前記温度検出手段40，42の検出温度に基づいた前記貯湯タンク10内の湯水の入替え動作を行うことを特徴とする請求項１又は２に記載の貯湯式給湯器100。
【請求項４】
前記制御部50は、前記排水用弁34の開弁時間に基づいた前記貯湯タンク10内の湯水の入替え動作として、前記排水用弁34の開弁から所望の時間が経過すると前記排水用弁34を閉弁することを特徴とする請求項１乃至３に記載の貯湯式給湯器100。
【請求項５】
前記制御部50は、複数の前記温度検出手段40，42の検出温度に基づいた前記貯湯タンク10内の湯水の入替え動作として、複数の前記温度検出手段40，42の温度が近似となると前記排水用弁34を閉弁することを特徴とする請求項１乃至４に記載の貯湯式給湯器100。
【請求項６】
前記制御部50は、複数の前記温度検出手段40，42の検出温度に基づいた前記貯湯タンク10内の湯水の入替え動作として、複数の前記温度検出手段40，42の温度が不変となると前記排水用弁34を閉弁することを特徴とする請求項５に記載の貯湯式給湯器100。
【発明の詳細な説明】
【技術分野】
【０００１】
本発明は、貯湯式給湯器に関して、特に、貯湯タンク内の古くなった湯水を入替えする機能に関するものである。
【背景技術】
【０００２】
従来より、貯湯タンクに水を溜めてから加熱して沸かす貯湯式給湯器では、貯湯タンク内の古くなった湯水からレジオネラ菌が発生する恐れがあることから、定期的に貯湯タンク内の湯水の入替えを行っている。このような貯湯式給湯器では、貯湯タンクの容量に応じた湯水入替え時間を設定し、設定時間か経過するまで排水弁を開いて貯湯タンク内の古くなった湯水の入替えを行っているが、無駄な排水を防ぐために、貯湯タンク内の入替える湯水の量を適切に制御するものがあり、例えば特開２００７−１５５２８６号公報（以下「特許文献１」）が知られている。
【０００３】
特許文献１において、サーミスタを用いて、貯湯タンク内の貯湯温度を監視する。ここで、サーミスタの検知結果に基づいて、貯湯タンク内の温水量が必要出湯量に対して不足すると判別された場合には、必要温水供給量が算出される。なお、必要出湯量が満たされていると判別された場合には、再び貯湯温度の監視が行なわれる。
【０００４】
その後、貯湯タンク内に必要温水供給量だけ冷水が供給される。同時に、冷水の供給量と同等の湯水が、排水管から排出される。ここで、冷水の供給量の制御は、サーミスタを用いて行なわれる。たとえば、サーミスタの検知温度が給水管から供給される冷水の温度に等しくなることで、給水管から供給された冷水が、貯湯タンクの下部からサーミスタの位置にまで達したことを検知することができる。
【０００５】
そして、加熱ユニットによる加熱が行なわれ、貯湯タンクに必要温水供給量の温水が提供される。ここで、温水の供給量の制御は、サーミスタを用いて行なわれる。たとえば、サーミスタの検知温度が設定貯湯温度に等しくなることで、加熱器復管から供給された温水が、貯湯タンクの上部からサーミスタの位置にまで達したことを検知することができる。
【先行技術文献】
【特許文献】
【０００６】
【特許文献１】特開２００７−１５５２８６号公報
【発明の概要】
【発明が解決しようとする課題】
【０００７】
しかしながら、上記従来の貯湯式給湯器では次のような問題が生じている。即ち、特許文献１においては、サーミスタの検知温度が給水管から供給される冷水の温度に等しくなることで、給水管から供給された冷水が、貯湯タンクの下部からサーミスタの位置にまで達したことを検知し、貯湯タンクからの排水量を制御しているが、貯湯タンク内の湯水の温度が給水管から供給される水の温度と差が微小である場合、貯湯タンク内の水の入替えが完了する前に入替え動作を終了してしまう問題が生じる。
【０００８】
このような事態が起き得る条件としては、貯湯タンク内に残っている湯水の温度が低くなっている時や、夏場における水道水の水温が上昇している時に貯湯タンク内の湯水の温度が給水管から供給される水の温度と差が検出しづらくなることから発生する。
【０００９】
本発明は上記課題に鑑みなされたもので、貯湯タンク内の湯水の温度と給水管から供給される水の温度との差が微小であっても、貯湯タンク内の水の入替えが正しく行われる貯湯式給湯器を提供することを目標とする。
【課題を解決するための手段】
【００１０】
上記課題を解決するために、本発明は次のような構成とする。即ち、給水管及び排水管がそれぞれ接続される貯湯タンクと、当該貯湯タンク内の水を加熱する加熱部と、前記排水管に接続される排水用弁と、前記貯湯タンクを介して前記給水管側から前記排水管側を流れる水流の方向に対して間隔を有した位置に温度検出する複数の温度検出手段と、前記排水用弁を開閉し、前記貯湯タンク内の湯水の入替え動作に対する信号を供給する制御部と、を備える貯湯式給湯器において、前記制御部は、前記排水用弁の開弁時間に基づいた前記貯湯タンク内の湯水の入替え動作、又は、複数の前記温度検出手段の検出温度に基づいた前記貯湯タンク内の湯水の入替え動作のどちらか一方の動作を機能させることを特徴とする貯湯式給湯器とする。
【００１１】
上記構成においては、前記制御部は、前記貯湯タンク内の湯水の入替え動作開始時に前記温度検出手段が検出した温度が第１の閾値以下の温度であった場合に前記排水用弁の開弁時間に基づいた前記貯湯タンク内の湯水の入替え動作を行うとともに、前記貯湯タンク内の湯水の入替え動作開始時に前記温度検出手段が検出した温度が第１の閾値以上の温度であった場合に複数の前記温度検出手段の検出温度に基づいた前記貯湯タンク内の湯水の入替え動作を行う構成としてもよい。
【００１２】
また、前記制御部は、前記貯湯タンク内の湯水の入替え動作開始時からの前記温度検出手段が検出した温度が第２の閾値未満の可変であった場合に前記排水用弁の開弁時間に基づいた前記貯湯タンク内の湯水の入替え動作を行うとともに、前記貯湯タンク内の湯水の入替え動作開始時からの前記温度検出手段が検出した温度に第２の閾値以上の可変があった場合に複数の前記温度検出手段の検出温度に基づいた前記貯湯タンク内の湯水の入替え動作を行う構成としてもよい。さらに、前記制御部は、前記排水用弁の開弁時間に基づいた前記貯湯タンク内の湯水の入替え動作として、前記排水用弁の開弁から所望の時間が経過すると前記排水用弁を閉弁する構成としてもよい。
【００１３】
また、前記制御部は、複数の前記温度検出手段の検出温度に基づいた前記貯湯タンク内の湯水の入替え動作として、複数の前記温度検出手段の温度が近似となると前記排水用弁を閉弁する構成としてもよい。さらに、前記制御部は、複数の前記温度検出手段の検出温度に基づいた前記貯湯タンク内の湯水の入替え動作として、複数の前記温度検出手段の温度が不変となると前記排水用弁を閉弁する構成としてもよい。
【発明の効果】
【００１４】
上記の通り、排水用弁の開弁時間に基づいた貯湯タンク内の湯水の入替え動作、又は、複数の温度検出手段の検出温度に基づいた貯湯タンク内の湯水の入替え動作のどちらか一方の動作を機能させることすることで、無駄な排水を防ぐとともに、貯湯タンク内の湯水の温度が給水管から供給される水の温度と差が微小であっても、貯湯タンク内の湯水の入替えが正しく行われる貯湯式給湯器が実現できる。
【００１５】
また、貯湯タンク内の湯水の入替え動作開始時に温度検出手段が検出した温度が第１の閾値以下の温度であった場合に排水用弁の開弁時間に基づいた貯湯タンク内の湯水の入替え動作を行うとともに、貯湯タンク内の湯水の入替え動作開始時に温度検出手段が検出した温度が第１の閾値以上の温度であった場合に複数の温度検出手段の検出温度に基づいた貯湯タンク内の湯水の入替え動作を行うことで、貯湯タンク内の湯水の温度が低く、且つ、夏場の水道水のように水温が上昇していて、貯湯タンク内の湯水の温度が給水管から供給される水の温度と差が微小であっても、貯湯タンク内の湯水の入替えがされないまま終了されることがない。
【００１６】
また、貯湯タンク内の湯水の入替え動作開始時からの温度検出手段が検出した温度が第２の閾値未満の可変であった場合に排水用弁の開弁時間に基づいた貯湯タンク内の湯水の入替え動作を行うとともに、貯湯タンク内の湯水の入替え動作開始時からの温度検出手段が検出した温度に第２の閾値以上の可変があった場合に複数の温度検出手段の検出温度に基づいた貯湯タンク内の湯水の入替え動作を行うことで、冬場の貯湯タンク内の湯水の温度が低くなった状態であっても、給水管から供給される水の温度と差が生じれば貯湯タンク内の湯水の入替えが終了したと判断し、無駄な排水を防ぐことができる。
【図面の簡単な説明】
【００１７】
【図１】本発明の第１の実施例とする貯湯式給湯器の概略構成図である。
【図２】第１の実施例とする貯湯式給湯器における貯湯タンク内の湯水の推移を示す概略構成図である。
【図３】第１の実施例とする貯湯式給湯器における貯湯タンク内の湯水の入替え制御を説明するフローチャートである。
【発明を実施するための形態】
【００１８】
以下に本発明の実施の形態を示す実施例を図１乃至図３に基づいて説明する。
【実施例１】
【００１９】
本発明の第１の実施例とする貯湯式給湯器の概略構成図を図１に、貯湯式給湯器における貯湯タンク内の湯水の推移を示す概略構成図を図２に、貯湯式給湯器における貯湯タンク内の湯水の入替え制御を説明するフローチャートを図３にそれぞれ示す。
【００２０】
図１において、貯湯式給湯器100は、電力消費の少ない深夜から朝にかけての料金が割安になる時間帯に電気を使用して湯水を沸き上げて貯湯する給湯器である。当該貯湯式給湯器100は、湯水を貯留する貯湯タンク10を備え、当該貯湯タンク10は常に湯水で満たされた状態を維持している。
【００２１】
また、前記貯湯タンク10内の下部には、前記貯湯タンク10内に貯留された水を加熱するヒータ12が設置されている。当該ヒータ12は、本体となるニクロム線の周囲を絶縁体に覆われ、それを保護管でカバーする構成としている。前記貯湯タンク10内の水は当該ヒータ12によって直接加熱され、水の対流により、ほぼ均一に温度が上昇している。
【００２２】
また、前記貯湯タンク10の下部には、前記貯湯タンク10内への給水を行うための給水管20が接続されている。前記貯湯タンク10は、水道管からの水が当該給水管20内の矢印A20を流れることで給水されている。さらに、当該給水管20には前記貯湯タンク10内への給水量の調節を行う給水用弁22が備えられている。
【００２３】
また、前記貯湯タンク10の上部には、前記貯湯タンク10から出湯を行うための給湯管30が接続されている。前記貯湯タンク10からの湯は、当該給湯管30内を通って前記貯湯式給湯器100の使用者へ供給される。
【００２４】
また、前記給湯管30には、前記貯湯タンク10内の古くなった湯水を排出するための排水管32が分岐するように接続されている。前記貯湯タンク10からの古くなった湯水は、当該配水管32内の矢印B32を流れて排水口へ排出している。さらに、当該排水管32には前記貯湯タンク10内からの排水量の調節を行う排水用弁34が備えられている。
【００２５】
また、前記貯湯式給湯器100は、前記貯湯タンク10内の湯を使うと、使った量の水が前記給水管20から給水されることで常に前記貯湯タンク10が満水の状態となる。さらに、前記貯湯タンク10内は、前記ヒータ12で加熱された湯と前記給水管20から給水された水の温度差が２５℃以上となると、比重の関係から混合層が発生し、混合層によって前記貯湯タンク10内の湯が前記給水管20から給水された水と混ざらないため、前記貯湯タンク10内の湯の温度が下がることがない。
【００２６】
また、前記貯湯タンク10の下部に、前記貯湯タンク10内の湯水の温度を検出する第１の温度検出手段40を設置している。さらに、前記排水管32の前記排水用弁34から前記排水口までの間に、前記排水管32内の湯水の温度を検出する第２の温度検出手段42を設置している。当該第１の温度検出手段及び当該第２の温度検出手段42はサーミスタからなる。
【００２７】
また、前記貯湯式給湯器100は、前記ヒータ12、前記給水用弁22、及び、前記排水用弁34の制御を行う制御部50を備えている。さらに、前記貯湯タンク10内の湯水は、当該制御部50により８５〜９０℃の一定した湯温に沸き上げられている。
【００２８】
また、前記制御部50は、前記第１の温度検出手段40からの貯湯タンク側温度信号Ｔ１及び前記第２の温度検出手段42からの排水管側温度信号Ｔ２を受信し、当該貯湯タンク側温度信号Ｔ１及び当該排水管側温度信号Ｔ２の電流量の増減に応じて前記貯湯タンク10内の湯水、及び、前記排水管32内を流れる湯水の温度を算出している。さらに、前記制御部50は、前記給水用弁22に対して給水用弁開閉信号Ｃ１及び前記排水用弁34に対して排水用弁開閉信号Ｃ２を送り、前記給水側弁22及び前記排水側弁34を開閉動作している。
【００２９】
次に、図２において、（a）は、前記貯湯タンク10内の湯水が古くなっている状態を示している。前記貯湯タンク10内の湯水が古くなるとレジオネラ菌が発生する恐れがある。また、（b）乃至（d）は、前記給水用弁22及び前記排水用弁34を作動させて、前記貯湯タンク10内の湯水の入替えを示している。
【００３０】
前記貯湯タンク10内の湯水の入替えを開始してから時間が経過すると、図２（b）に示すように、前記給水管20を通って水道管からの新しい水が前記貯湯タンク10の下から給水され、前記第１の温度検出手段40は、前記貯湯タンク10に溜まった新しい水の温度を検出している。また、前記排水管32を通って前記貯湯タンク10からの古い水が排水口まで排出され、前記第２の温度検出手段42は、前記排水管32を通る古い水の温度を検出している。
【００３１】
また、図２（b）の状態から時間が経過すると、図２（c）に示すように、前記給水管20を通って水道管から給水された新しい水が前記貯湯タンク10の上部付近まで達している。さらに、前記排水管32は前記貯湯タンク10から排出された古い水が通っている。
【００３２】
また、前記第１の温度検出手段40は、前記貯湯タンク10内に給水された新しい水の温度を検出し、前記第２の温度検出手段42は、前記排水管32を通る古い水の温度を検出している。
【００３３】
また、図２（c）の状態から時間が経過すると、図２（d）に示すように、前記給水管20を通って水道管から給水された新しい水は前記貯湯タンク10を満たし、前記排水管32まで達している。さらに、前記第１の温度検出手段40は、前記貯湯タンク10内に給水された新しい水の温度を検出し、前記第２の温度検出手段42は、前記排水管32を通る新しい水の温度を検出している。
【００３４】
次に、前記貯湯式給湯器100における前記貯湯タンク10内の湯水の入替え制御を図３に基づいて説明する。
【００３５】
図３において、定期的に行う前記貯湯タンク10内の古くなった湯水の入替えを開始すると、前記制御部50は、前記排水用弁34を開き（Ｓ１）、前記制御部50は、（S１）を行うと同時にカウントを開始する（Ｓ２）。また、前記第１の温度検出手段40及び前記第２の温度検出手段42は、前記貯湯タンク10内又は前記排水管32内を通る湯水の温度をそれぞれ検出し（S３）、前記制御部50は、（S３）で前記第１の温度検出手段40が検出した前記貯湯タンク10内の湯水の温度が３０℃以下であるか判定し（S４）、（S４）で前記第１の温度検出手段40が検出した前記貯湯タンク10内の湯水の温度が３０℃以下である場合、前記制御部50は、（S３）からの相対時間あたりの前記第１の温度検出手段40が検出した温度が１０℃未満の変化であるか判定する（S１１）。
【００３６】
また、（S１１）で（S３）からの相対時間あたりの前記第１の温度検出手段40が検出した温度が１０℃未満の変化であった場合、前記制御部50は、（S２）から前記貯湯タンク10の容量に応じた湯水の入替えに必要な時間が経過するかの判定を行い（S１２）、（S１２）で前記貯湯タンク10の容量に応じた湯水の入替えに必要な時間が経過していない場合、前記制御部50は、（S１１）の処理に戻る。さらに、（S４）で前記第１の温度検出手段40が検出した前記貯湯タンク10内の湯水の温度が３０℃以上である場合、又は、（S１１）で（S３）からの相対時間あたりの前記第１の温度検出手段40が検出した温度に１０℃以上の変化があった場合に、前記制御部50は、前記第１の温度検出手段40が検出した前記貯湯タンク10内の湯水の温度＝前記第２の温度検出手段42が検出した前記排水管32内を通る湯水の温度となるまで判定を行う（S２１）。
【００３７】
また、（S２１）で前記第１の温度検出手段40が検出した前記貯湯タンク10内の湯水の温度＝前記第２の温度検出手段42が検出した前記排水管32内を通る湯水の温度となった場合、前記制御部50は、前記第１の温度検出手段40が検出した前記貯湯タンク10内の湯温の温度及び前記第２の温度検出手段42検出した前記排水管32内を通る湯水の温度に変化が無くなるまで判定を行う（S２２）。さらに、（S１２）で前記貯湯タンク10の容量に応じた湯水の入替えに必要な時間が経過した場合、又は、（S２２）で前記第１の温度検出手段40が検出した前記貯湯タンク10内の湯温の温度及び前記第２の温度検出手段42検出した前記排水管32内を通る湯水の温度に変化が無くなった場合に、前記制御部50は、前記排水用弁34を閉じ（S５）、前記貯湯タンク10内の古くなった湯水の入替えを終了する。
【００３８】
上記構成によって、前記貯湯タンク10内の古くなった湯水の入替えを、前記貯湯タンク10の容量に応じた湯水の入替えに必要な時間経過による動作、又は、前記第１の温度検出手段40が検出した前記貯湯タンク10内の湯水の温度＝前記第２の温度検出手段42が検出した前記排水管32内を通る湯水の温度となるとともに、前記第１の温度検出手段40が検出した前記貯湯タンク10内の湯温の温度及び前記第２の温度検出手段42検出した前記排水管32内を通る湯水の温度が無変化となる動作のどちらか一方の動作から前記排水用弁34を閉じることで、無駄な排水を防ぐとともに、前記貯湯タンク10内の湯水の温度が前記給水管20から供給される水の温度と差が微小であっても、前記貯湯タンク10内の湯水の入替えが正しく行うことができる。
【００３９】
また、前記第１の温度検出手段40が検出した前記貯湯タンク10内の湯水の温度が３０℃以下であるとともに、前記排水用弁34の開弁からの相対時間あたりの前記第１の温度検出手段40が検出した温度が１０℃未満の変化であった場合に、前記貯湯タンク10の容量に応じた湯水の入替えに必要な時間経過による動作から前記排水用弁34を閉じることで、前記貯湯タンク10内の湯水の温度が低く、且つ、夏場の水道水のように２８℃近くまで水温が上昇していて、前記貯湯タンク10内の湯水の温度が前記給水管20から供給される水の温度と差が微小であっても、前記貯湯タンク10内の湯水の入替えがされないまま終了されることがない。
【００４０】
また、上記においては、前記貯湯式給湯器100を屋外に設置していることで、冬場に前記貯湯タンク10内の湯水の温度が低くなり、前記貯湯タンク10内の湯水の温度が前記給水管20から供給される水の温度と差が微小であっても、前記貯湯タンク10内の湯水の入替えを正しく行うことができる。
【００４１】
また、前記第１の温度検出手段40が検出した前記貯湯タンク10内の湯水の温度が３０℃以下であるとともに、前記排水用弁34の開弁からの相対時間あたりの前記第１の温度検出手段40が検出した温度に１０℃以上の変化があった場合に、前記第１の温度検出手段40が検出した前記貯湯タンク10内の湯水の温度＝前記第２の温度検出手段42が検出した前記排水管32内を通る湯水の温度となるとともに、前記第１の温度検出手段40が検出した前記貯湯タンク10内の湯温の温度及び前記第２の温度検出手段42検出した前記排水管32内を通る湯水の温度が無変化となる動作から前記排水用弁34を閉じることで、冬場の前記貯湯タンク10内の湯水の温度が低くなった状態であっても、前記給水管20から供給される水の温度と差が生じれば前記貯湯タンク10内の湯水の入替えが終了したと判断し、無駄な排水を防ぐことができる。
【００４２】
上記実施例１の変形例として、前記貯湯式給湯器100は、前記貯湯タンク10内に備えられた前記ヒータ12によって水を加熱する構成としたが、前記貯湯タンク10外に前記ヒータ12を備えて加熱用流路に水を循環させて加熱する構成としてもよい。また、前記貯湯式給湯器100は、ガス、石油、又は、大気中の熱を利用するヒートポンプを用いて前記貯湯タンク10内の水を加熱する構成としてもよい。さらに、前記貯湯タンク10に接続される前記給水管20を含む給水手段、前記給湯管30、及び、前記排水管32を含む排水手段の構成は設計事情によって任意の構成に変更してもよい。
【００４３】
また、前記第１の温度検出手段40及び前記第２の温度検出手段42は、前記貯湯タンク10を介して前記給水管20側から前記排水管32側を流れる水流の方向に対して間隔を有した位置であれば、設計事情によって任意の位置に設置してもよい。さらに、前記第１の温度検出手段40及び前記第２の温度検出手段42は、サーミスタ等の半導体以外にも、例えば、熱電対や測温抵抗体からなる構成としてもよい。
【００４４】
また、（S４）にて行った前記貯湯タンク10内の水の入替え時に前記第１の温度検出手段40が検出した温度と比較する閾値温度を３０℃としたが、この閾値温度は、日本における夏場の水道水の温度が２５〜３０℃であることによって決定したものであり、前記貯湯式給湯器100を使用する環境に応じて閾値温度を変更してもよい。
【００４５】
また、（S６）にて行った前記排水用弁34の開弁から相対時間あたりの前記第１の温度検出手段40が検出した温度の変化を比較する閾値温度を１０℃としたが、この閾値温度は、前記第１の温度検出手段40及び前記第２の温度検出手段42の性能から正確に前記貯湯タンク10内の湯水の入替えが終了したと判断するために決定したものであり、前記第１の温度検出手段40及び前記第２の温度検出手段42の性能に応じて閾値を変更してもよい。
【００４６】
また、前記制御部50は、（S２１）及び（S２２）を前記貯湯タンク10内を流れる水流の方向に対して間隔を有した位置に備えた複数の前記第１の温度検出手段40によって前記給水管20からの給水が達した位置を判定し、前記排水用弁34を閉じて前記貯湯タンク10内の湯水の入替えを終了する構成としてもよいし、その他の方法で前記貯湯タンク10内の給水が達した位置を判定し、前記排水用弁34を閉じて前記貯湯タンク10内の湯水の入替えを終了する構成する構成としてもよい。
【符号の説明】
【００４７】
10：貯湯タンク
12：ヒータ
20：給水管
22：給水用弁
30：給湯管
32：排水管
34：排水用弁
40：第１の温度検出装置（第１のサーミスタ）
42：第２の温度検出装置（第２のサーミスタ）
50：制御部
100：貯湯式給湯器
C1：給水用弁開閉信号
C2：排水用弁開閉信号
T1：貯湯タンク側温度信号
T2：排水管側温度信号
【図１】
2013213594.tif 000003
【図２】
2013213594.tif 000004
【図３】
2013213594.tif 000005